(57)【要約】【課題】棚板の一側縁の片持ち支持構造を採用しつつ、棚板の水平レベル調整などのための棚板の傾斜角度の微調整を簡単な構造で容易に行うことができる棚受け具を提供する。【解決手段】棚板Ｓの後端側側縁を保持することにより棚板Ｓを片持ち支持する棚受け具であって、棚板Ｓの後端側側縁部の上面に当接する支持片５を備える棚受け具本体２と、支持片５よりも棚板Ｓの前端側で棚板Ｓの下面を支持する調整ボルト３とを備え、支持片５に対する調整ボルト３の上下方向位置の調整を行うことにより、棚板Ｓの前後方向の傾斜角度の微調整を行う。【選択図】  図１
2004173871.tif 000002
【特許請求の範囲】
【請求項１】
棚板の後端側側縁を保持することにより棚板を片持ち支持する棚受け具であって、棚板の後端側側縁部の上面に当接する支持片を備える棚受け具本体と、前記支持片よりも棚板の前端側で棚板の下面を支持する調整部材とを備え、前記支持片に対する調整部材の上下方向位置の調整を行うことにより、棚板の前後方向の傾斜角度が微調整されることを特徴とする棚受け具。
【請求項２】
請求項１に記載の棚受け具において、前記棚受け具本体は、支持片が一体的に設けられる基台部をさらに備え、調整部材はボルトであり、該調整ボルトが基台部上面に螺着されていることを特徴とする棚受け具。
【請求項３】
請求項２に記載の棚受け具において、基台部上面には左右幅方向に沿って凹溝が形成されており、調整ボルトのボルト頭が凹溝内に収容され、ボルト頭の高さと凹溝の高さとがほぼ等しいことを特徴とする棚受け具。
【請求項４】
請求項３に記載の棚受け具において、基台部上面は、凹溝よりも後端側に至るに従って支持片に対して下方に傾斜する傾斜面とされていることを特徴とする棚受け具。
【発明の詳細な説明】
【０００１】
【発明の属する技術分野】
本発明は、壁面などに棚板を取付け保持するための棚受け具に関する。
【０００２】
【従来の技術】
壁面や支持枠体などに商品などを載置するための棚板を取付ける棚受け具としては、例えば、下記の特許文献１〜３に記載のものが公知である。
【特許文献１】
特許２７８７５６７号公報
【特許文献２】
特許２６９８５５９号公報
【特許文献３】
実公平７−１５４７６号公報
【０００３】
【発明が解決しようとする課題】
しかし、棚板の一側縁の片持ち支持構造を採用しつつ、棚板の水平レベル調整などのための棚板の傾斜角度の微調整を簡単な構造で容易に行うことができる棚受け具は存在しなかった。
【０００４】
そこで、本発明は、かかる棚受け具を提供することを目的とする。
【０００５】
【課題を解決するための手段】
上記目的を達成するためになされた本発明は、棚板の後端側側縁を保持することにより棚板を片持ち支持する棚受け具であって、棚板の後端側側縁部の上面に当接する支持片を備える棚受け具本体と、前記支持片よりも棚板の前端側で棚板の下面を支持する調整部材とを備え、前記支持片に対する調整部材の上下方向位置の調整を行うことにより、棚板の前後方向の傾斜角度が微調整されることを特徴とする棚受け具である。かかる本発明によれば、棚受け具を壁面や支持枠体などの被取付対象に取付け固定し、この棚受け具の前方から棚板を支持片の下側に嵌め込むように取付けることで、棚板が支持片と調整部材とによって支持される。ここで、棚板の左右方向の水平レベルは、棚受け具自体の取付け精度によって保証できる。一方、被取付け対象の取付面がわずかに傾斜していると、これに起因して棚板が前後方向に若干傾斜してしまうことがあるが、この場合には、棚板を少し持ち上げるか或いは一旦棚受け具から取り外し、調整部材を上下に微調整した後、再度棚板を設置することにより、棚板の前後方向の水平レベル出しを迅速かつ正確に行うことが可能である。なお、微調整の完了後、木ねじ等の締結部材を用いて棚板と棚受け具とを固定するのが好ましい。
【０００６】
上記本発明の棚受け具において、前記棚受け具本体は、支持片が一体的に設けられる基台部をさらに備えることができる。この基台部の構造や形状は種々のものとすることができ、一例においては、断面三角枠状の長尺フレームからなる。棚受け具本体は、好ましくはアルミ異形押出し成形品とすることができ、これによれば支持片と基台部とを低コストで一体成形できるが、基台部と支持片とを別個に成形した後に溶接、接着、締結等の適宜の方法によって一体的に固定したものであってもよい。また、前記調整部材はボルトとすることができ、該調整ボルトを基台部上面に螺着した構造とすれば、調整ボルトのネジ回し操作により調整ボルトの上下位置の微調整を容易且つ精度良く行うことができる。
【０００７】
さらに、基台部上面には、左右幅方向に沿って凹溝を形成することができる。この凹溝の高さは、前記調整ボルトのボルト頭の高さとほぼ等しくすることができ、調整ボルトのボルト頭を凹溝内に収容させることができる。
【０００８】
また、前記基台部上面は、凹溝よりも後端側に至るに従って支持片に対して下方に傾斜する傾斜面であってよい。これによれば、棚受け具本体の前方且つ斜め上方から棚板を傾斜面に沿うように支持片の下方に嵌め込むことができ、その後、棚板の前端側を下方に落とし込むようにして調整部材の上に棚板を設置することができる。
【０００９】
【発明の実施の形態】
以下、本発明の実施の形態を図面に基づいて説明する。
【００１０】
図１〜図４は本発明の一実施形態に係る棚受け具１を示している。この棚受け具１は、アルミ異形押出し成形品からなる長尺の棚受け具本体２と、該本体２に取り付けられる複数の調整ボルト３とを備えている。
【００１１】
棚受け具本体２は、壁面にビスなどにより取り付け固定されるものであって、壁面に当接される背板部４と、棚板の後端側側縁部の上面に当接する支持片５と、該支持片５の下方に設けられ且つ支持片５と上下に対向する板状の基台部６と、基台部６の前端側側縁部を下方から支持する斜板部７とを一体に備えている。支持片５は、背板部４の上端側側縁から前方に向けてほぼ水平に延設されている。基台部６は、背板部４の上下中央部から前方に向けて延設されている。斜板部７は、背板部４の下端側側縁から前方且つ斜め上方に向けて延設されており、該斜板部７の前端側側縁と基台部６の前端側側縁とが接続されている。而して、背板部４と、基台部６と、斜板部７とによって、断面三角枠状の剛性フレーム枠構造を呈している。
【００１２】
基台部６は、支持片５よりも前方に大きく延出されている。支持片５の前端側側縁よりも前方において基台部６の上面には、左右幅方向全長にわたって凹溝８が形成されている。凹溝８の底面（基台部上面の一部）には、左右方向所定箇所に調整ボルト３が螺着されるネジ孔９が設けられている（図示実施例では３カ所）。また、ネジ孔９に螺着された調整ボルト３のボルト頭３ａは凹溝８内に収容される。ボルト頭３ａの高さと凹溝８の高さとはほぼ等しくなされ、また、ボルト頭３ａの直径と凹溝８の前後幅とがほぼ等しくなされている。
【００１３】
さらに、基台部６の上面は、凹溝８よりも後端側に至るに従って支持片５に対して下方に傾斜する傾斜面とされており、図１又は図２に示すように、取り付けられた棚板Ｓの後端側側縁部と基台部６との間に隙間が形成されるようにしてある。
【００１４】
なお、支持片５には、支持片５と棚板Ｓとを固定するためのビス孔１０が所定箇所に設けられている。また、背板部４には、壁面に本体２を取り付けるためのビス孔を所定箇所に設けることができる。
【００１５】
上記棚受け具１によれば、調整ボルト３のボルト頭３ａの上に設置した棚板Ｓの後端側側縁部の上面に支持片５が係止することによって、棚板Ｓを片持ち支持することができる。そして、棚板の前後方向の傾斜角度の微調整は、図２に示すように調整ボルト３を適宜の工具によって回転操作し、そのボルト頭３ａの上下方向の位置を調整することによって行うことができる。
【００１６】
本発明は上記実施形態に限定されるものではなく、適宜設計変更することができる。例えば、棚受け具本体２の左右方向長さ、前後幅、高さその他の寸法は適宜のものとすることができる。また、調整ボルト（調整部材）の数は、一つであってもよく、複数設けてもよい。また、棚受け具本体２を左右方向に複数設け、この複数の本体２によって一つの棚板Ｓを支持することも可能である。
【００１７】
【発明の効果】
本発明によれば、棚板の一側縁の片持ち支持構造を採用しつつ、棚板の水平レベル調整などのための棚板の傾斜角度の微調整を簡単な構造で容易に行うことができる棚受け具を提供できる。
【図面の簡単な説明】
【図１】本発明の一実施形態に係る棚受け具の断面図である。
【図２】調整ボルトを上方に位置変更した状態を示す断面図である。
【図３】同棚受け具の全体斜視図である。
【図４】調整ボルトを示し、（ａ）は平面図、（ｂ）は正面図、（ｃ）は底面図である。
【符号の説明】
１  棚受け具
２  棚受け具本体
３  調整ボルト（調整部材）
３ａ  ボルト頭
５  支持片
６  基台部
８  凹溝
【図１】
2004173871.tif 000003
【図２】
2004173871.tif 000004
【図３】
2004173871.tif 000005
【図４】
2004173871.tif 000006